(57)【特許請求の範囲】
【請求項１】
出口に向かって拡大する空気通路拡大部(４１)を有する吹出通路形成部材(３２)を包含するケーシング本体(３１)と、
上記ケーシング本体(３１)の底部に取り付けられると共に、上記空気通路拡大部(４１)の下流端に略等しい大きさを有する吹出口(３５a)を有して、その吹出口(３５a)に、上記空気通路拡大部(４１)の上流端よりも上流の空気の流線の延長上に連なる固定羽根(４０)と、可動羽根(３９)とを有する化粧パネル(３５)
を備えたことを特徴とする天井埋め込み型室内機。
【発明の詳細な説明】
【０００１】
【発明の属する技術分野】
この発明は、天井埋め込み型室内機に関する。
【０００２】
【従来の技術】
従来、天井埋め込み型であって熱交換後の空気を四方に吹き出す室内機として図６に縦断面を示すような構造を有するものがある。
図６において、ケーシング１の底部には化粧パネル３を固定して、ケーシング１の下面およびケーシング１と天井２との隙間を覆っている。そして、化粧パネル３の中央部には吸込口４が設けられており、送風機５の回転に伴って吸込口４から吸い込まれた室内空気は、送風機５の周囲に設けられた熱交換器６によって熱交換される。こうして熱交換された後の空気は、化粧パネル３における吸込口４の周囲四方に設けられた吹出口７から室内に吹き出される。８はドレンパンである。
【０００３】
【発明が解決しようとする課題】
ところで、空気調和機による気流制御においては、直接人体に風が当たった場合の不快感や暖房時に床付近まで風が到達するか否か等が問題となる。この問題は、主に下向きに風を吹き出す際の風速に起因するために、室内機の能力の大小による吹出風速の差異を無くすことが重要となる。そこで、天井埋め込み型室内機においては、能力の大小によって吹き出し風速に差異が生じないように、大馬力(風量大)の場合における吹出口を小馬力(風量小)の場合における吹出口よりも長くしている。したがって、化粧パネルも大馬力と小馬力とでは異なるサイズのものを使用する必要がある。
【０００４】
そのために、同一オフィス内に、例えば、３馬力の機種と５馬力の機種とを設置する場合には、両機種の化粧パネルのサイズが異なるためにレイアウト性が悪いという問題がある。
また、上述のような天井埋め込み型室内機を製造する場合には、化粧パネルの部品を３馬力と５馬力の能力別に用意する必要があり、部品点数が増加するという問題もある。
【０００５】
そこで、この発明の目的は、能力の異なる天井埋め込み型室内機のレイアウト性を向上し、化粧パネルの部品共通化によってコストダウンを図ることができる天井埋め込み型室内機を提供することにある。
【０００６】
【課題を解決するための手段】
上記目的を達成するため、請求項１に係る発明の天井埋め込み型室内機は、出口に向かって拡大する空気通路拡大部を有する吹出通路形成部材を包含するケーシング本体と、上記ケーシング本体の底部に取り付けられると共に,上記空気通路拡大部の下流端に略等しい大きさを有する吹出口を有して,その吹出口に,上記空気通路拡大部の上流端よりも上流の空気の流線の延長上に連なる固定羽根と可動羽根とを有する化粧パネルを備えたことを特徴としている。
【０００７】
上記構成の天井埋め込み型室内機は大能力(大風量)機であり、吹出通路内を吹出通路形成部材に設けられた空気通路拡大部に沿って流れる空気は、化粧パネルの吹出口における固定羽根の両側および可動羽根の両側からから吹き出される。
ここで、上記化粧パネルは、小能力(小風量)の天井埋め込み型室内機に兼用されるものである。そして、この記小能力の天井埋め込み型室内機は、上記吹出通路形成部に吹出通路拡大部が設けられておらず、化粧パネルの吹出口における固定羽根の片側の開口部が閉鎖されるようになっている。したがって、吹出風速が速められて、上記大能力の室内機の吹出風速と大略同じ風速が得られる。
すなわち、上記化粧パネルの外形寸法は小能力の室内機と大能力の室内機とで変える必要がなく、能力の異なる天井埋め込み型室内機でも同じ化粧パネルが使用される。
【０００８】
【発明の実施の形態】
以下、この発明を図示の実施の形態により詳細に説明する。
図１は、本実施の形態の参考例としての天井埋め込み型室内機における吹出口付近(図６における部分Ａに相当)の縦断面図である。
【０００９】
本天井埋め込み型室内機は、例えば、３馬力(１７m３/min)の能力を有する。
１１はケーシングであり、１２はドレンパンである。そして、ケーシング１１の内壁面１１aとドレンパン１２の外壁面とで吹出通路１３を形成している。
上記ケーシング１１およびドレンパン１２の底部には化粧パネル１５が取り付けられている。そして、上記化粧パネル１５の吹出口１５aは、ケーシング１１内の吹出通路１３に滑らかに連なっている。尚、吹出口１５aは内側に向かって湾曲しており、吹出口１５aからの空気は、僅かに外側に向かって吹き出されるようになっている。
【００１０】
上記化粧パネル１５の吹出口１５a内には、外側から順に、直線平面を有して垂直に延在する固定羽根１７と、内側に向かって湾曲した面を有してこの面の向きを変動できる可動羽根１８とが設けられている。そして、ケーシング１１の下部の内壁面１１aには、内側に突出して内壁面１１aから固定羽根１７に滑らかに連なる突出部材１９が設けられている。
【００１１】
上記構成において、上記熱交換器１４で熱交換された後にケーシング１１の内壁面１１aに沿って下降する空気は、突出部材１９の面および固定羽根１７の面に沿って室内に吹き出される。したがって、化粧パネル１５の吹出口１５aの実開口幅Ｂは、固定羽根１７の内面と上記吹出口１５aの開口の内側縁１５bとの距離となる。
【００１２】
ところで、空気調和機による気流制御においては、上述したように、室内機の能力の大・小による吹出風速の差異を無くすことが重要となる。そして、大馬力（風量大)の場合における吹出口１５aの実開口幅を小馬力(風量小)の場合における実開口幅よりも広くすることによって、吹出口の長さを変えずに大馬力の室内機と小馬力の室内機との吹出風速を大略同じにすることができる。
【００１３】
図２は、例えば、５馬力(３０m３/min)の能力を有する天井埋め込み型室内機における吹出口付近の縦断面図である。
この５馬力の室内機では、上記ケーシング１１の内壁面１１aには、図１に示す本室内機のごとき突出部材１９は設けられてはいない。また、化粧パネル１５は、図１に示す本室内機の化粧パネル１５と全く同じ構造を有している。
上記構成を有する５馬力の室内機においては、ケーシング１１の内壁面１１aには突出部材１９は設けられていないので、熱交換器１４によって熱交換された後にケーシング１１の内壁面１１aに沿って下降する空気は、真っすぐ下に向かって吹き出される。
【００１４】
したがって、この５馬力の室内機における上記吹出口１５aの実開口幅Ａは、ケーシング１１の内壁面１１aと化粧パネル１５の吹出口１５aの内側縁１５bとの距離となる。そして、この実開口幅Ａは、図１に示す３馬力の本室内機における実開口幅Ｂよりも突出部材１９の下端の突出量分だけ拡大されている。すなわち、図２に示す５馬力の室内機においては、ケーシング本体１１と固定羽根１７との間からも空気が吹き出されて、図１に示す３馬力の本室内機の場合の吹出風速と大略同じ風速が得られるのである。
【００１５】
ここで、上記固定羽根１７は以下のような効果を奏する。すなわち、上記３馬力(小風量)の室内機において、固定羽根１７がない場合には、突出部材１９の下端を離れた空気は突出部材１９の下側の開口径が大きいために直ぐ外側に向かって広がって、化粧パネル１５の吹出口１５aにおける外側の壁面に沿って外側に吹き出されることになる。したがって、実開口幅Ｂが５馬力時の実開口幅Ａよりも狭くなっていることの効果が得られないのである。
これに対して、上記固定羽根１７が存在することによって、突出部材１９の下端を離れた空気は垂直方向に延在する固定羽根１７の面に沿って下方に吹き出されるので、吹出口１５aの実開口幅が狭くなっていることの効果が容易に得られるのである。
【００１６】
尚、図３に示す本室内機において、上記可動羽根１８の向きを変えて吹出空気を水平方向に吹き出す水平吹時の場合、ケーシング１１に沿って流下する空気は突出部材１９と固定羽根１７との存在によって内側(ドレンパン１２側)に寄せられる。ところが、吹出口１５aには内側に向かって湾曲した平面を有する可動羽根１８が存在するため、上記内側に一旦寄せられた空気は略水平方向に位置した可動羽根１８の下面の湾曲によるコアンダ効果によって速やかに風向が変えられて水平方向に吹き出される。したがって、水平吹時において、突出部材１９と固定羽根１７との存在による悪影響は全くないのである。
【００１７】
上述したように、本実施の形態における天井埋め込み型室内機は、３馬力(１７m３/min)の室内機であって、ケーシング１１及びドレンパン１２の底部に、吹出口１５aに固定羽根１７と可動羽根１８とが設けられた化粧パネル１５を取り付けている。また、ケーシング１１の下部に、内側に突出して内壁面１１aから固定羽根１７に滑らかに連なる突出部材１９を設けている。
上記化粧パネル１５は、上記突出部材１９を設けていない５馬力(３０m３/min)の天井埋め込み型室内機と兼用される。そして、この５馬力の室内機は、吹出口１５aの実開口幅Ａが３馬力の室内機の実開口幅Ｂよりも拡大しており、３馬力の室内機の吹出風速と大略同じ風速になるようになっている。
【００１８】
すなわち、本実施の形態によれば、上記化粧パネル１５を上記突出部材１９を設けない大能力の天井埋め込み型室内機にも兼用でき、天井埋め込み型室内機のレイアウト性を向上できる。また、化粧パネル１５の部品の共通化を図って、コストダウンを図ることができる。
【００１９】
図４は、本実施の形態の天井埋め込み型室内機における吹出口付近の縦断面図である。
本天井埋め込み型室内機は、例えば、５馬力(３０m３/min)の能力を有する。
３１はケーシングであり、３２はドレンパンである。そして、上記ケーシング３１の内壁面３１aとドレンパン３２の外壁面３２aとで吹出通路３３を形成している。また、ドレンパン３２の外壁３２aの下部には、下角部を斜めに切り欠いて形成されて、空気通路の幅を下流に向かって拡大する空気通路拡大部４１が設けられている。
【００２０】
上記ケーシング３１およびドレンパン３２の底部には化粧パネル３５が取り付けられている。そして、化粧パネル３５の吹出口３５aの外側の壁３６は内側に向かって湾曲してケーシング３１の内壁面３１aに滑らかに連なっている。これに対して、吹出口３５aの内側の壁３７は内側に向かって湾曲して、ドレンパン３２に設けられた空気通路拡大部４１の下端に連なっている。
【００２１】
上記化粧パネル３５の吹出口３５a内には、外側から順に、内側に向かって湾曲した面を有してこの面の向きを変動できる可動羽根３９と、直線平面を有して下端をやや外側に向けて斜めに延在する固定羽根４０とが設けられている。ここで、固定羽根４０の上端は、空気通路拡大部４１の上流端よりも上流の空気の流線の延長上に連なるように設けられる。
【００２２】
上記構成において、上記熱交換器３４によって熱交換された後にドレンパン３２の外壁面３２aに沿って流下する空気は、空気通路拡大部４１の面および化粧パネル３５の壁３７の面に沿って室内に吹き出されることになる。したがって、化粧パネル３５の吹出口３５aの実開口幅Ｄは、ケーシング３１の内壁面３１aと吹出口３５aの壁３７の先端との距離となる。
【００２３】
図５は、例えば、３馬力(１７m３/min)の能力を有する天井埋め込み室内機における吹出口付近の縦断面図である。
この３馬力室内機では、上記ドレンパン３２の外壁面３２aには、図４に示す本室内機のごとき空気通路拡大部４１は設けられてはいない。また、化粧パネル３５は、図４に示す本室内機の化粧パネル３５と全く同じ構造を有している。
そして、ドレンパン３２の外壁面３２aの下流端は、固定羽根４０に連なっている。
上記構成を有する３馬力の室内機においては、ドレンパン３２の外壁面３２aには空気通路拡大部４１は設けられていないので、熱交換器３４によって熱交換された後にドレンパン３２の外壁面３２aに沿って下降する空気は、固定羽根４０に案内されて真っすぐ下に向かって吹き出される。
【００２４】
したがって、この３馬力の室内機における上記吹出口３５aの実開口幅Ｃは、ケーシング３１の内壁面３１aと固定羽根４０の先端４０aとの距離となる。そして、この実開口幅Ｃは、図４に示す本室内機における実開口幅Ｄよりも、固定羽根４０の先端４０aと化粧パネル３５の壁３７の先端との間隔分だけ狭くなっている。したがって、図５に示す３馬力の室内機においては、固定羽根４０と化粧パネル３５の吹出口３５aの壁３７との間から空気は吹き出されず、図４に示す５馬力の本室内機の場合の吹出風速と大略同じ風速が得られるのである。
【００２５】
尚、図５に示す３馬力の室内機の場合にも、固定羽根４０の存在によって、ドレンパン３２の外壁面３２aの下端を離れた空気はドレンパン３２の下側で広がることがなく、真っすぐ下方に吹き出される。
【００２６】
上述したように、本実施の形態における天井埋め込み型室内機は、５馬力(３０m３/min)の室内機であって、ケーシング３１及びドレンパン３２の底部に、吹出口３５aに固定羽根４０と可動羽根３９とが設けられた化粧パネル３５を取り付けている。また、ドレンパン３２の外壁面３２aの下角部には、斜めに切り欠いた形状を有して吹出口３５aの内側の壁３７に連なって吹出通路３３の幅を拡大する空気通路拡大部４１を設けている。
上記化粧パネル３５は、空気通路拡大部４１を設けない３馬力(１７m３/min)の天井埋め込み型室内機と兼用される。そして、この３馬力の室内機は、吹出口３５aの実開口幅Ｃが５馬力の室内機の実開口幅Ｄよりも狭くなっており、５馬力の室内機の吹出風速と大略同じ風速になるようになっている。
【００２７】
すなわち、本実施の形態によれば、上記化粧パネル３５を上記空気通路拡大部４１を設けない小能力の天井埋め込み型室内機にも兼用でき、天井埋め込み型室内機のレイアウト性を向上できる。また、化粧パネル３５の部品の共通化を図って、コストダウンを図ることができる。
【００２８】
尚、上記実施の形態においては、上記ドレンパン３２に空気通路拡大部４１を設けるようにしているが、この発明は、これに限定されるものではない。要は、ケーシング３１の内壁３１aに対向して吹出通路を形成する吹出通路形成部材であればよいのである。
また、上記天井埋め込み型室内機は、熱交換後の空気を四方に吹き出すタイプであっても、二方に吹き出すタイプであっても何等差し支えない。
【００２９】
【発明の効果】
以上より明らかなように、請求項１に係る発明の天井埋め込み型室内機は、出口に向かって拡大する空気通路拡大部を有する吹出通路形成部材を包含するケーシング本体と、吹出口に上記空気通路拡大部の上流端よりも上流の空気の流線の延長上に連なる固定羽根と可動羽根とを有する化粧パネルを備えたので、上記化粧パネルは、上記空気通路拡大部を設けない構造の小能力(小風量)の天井埋め込み型室内機にも兼用できる。したがって、能力の異なる天井埋め込み型室内機のレイアウト性を向上できる。また、化粧パネルの部品の共通化を行ってコストダウンを図ることができる。
【図面の簡単な説明】
【図１】  参考例としての天井埋め込み型室内機の縦断面図である。
【図２】  図１における化粧パネルと同じ化粧パネルを大能力の天井埋め込み型室内機に使用した状態を示す縦断面図である。
【図３】  図１に示す天井埋め込み型室内機の水平吹時の吹出方向の説明図である。
【図４】  この発明の天井埋め込み型室内機における縦断面図である。
【図５】  図４における化粧パネルと同じ化粧パネルを小能力の天井埋め込み型室内機に使用した状態を示す縦断面図である。
【図６】  従来の天井埋め込み型室内機の縦断面図である。
【符号の説明】
１１,３１…ケーシング、           １２,３２…ドレンパン、
１３,３３…吹出通路、             １４,３４…熱交換器、
１５,３５…化粧パネル、           １５a,３５a…吹出口、
１６…天井、                      １７,４０…固定羽根、
１８,３９…可動羽根、             １９…突出部材、
４１…空気通路拡大部。
【図１】
0003794087.tif 000002
【図２】
0003794087.tif 000003
【図３】
0003794087.tif 000004
【図４】
0003794087.tif 000005
【図５】
0003794087.tif 000006
【図６】
0003794087.tif 000007